【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
電流駆動型の発光ディスプレイであって、
Ｎ行及びＭ列に配列された電流駆動型の発光ディスプレイのピクセル（２４、２６、２８）のアレイであって、前記ピクセルはそれぞれがその駆動電流と共に直接的に変動する輝度を有し、前記ピクセルのアレイはＫ個のセグメント（１６、１８）に更に分割され、前記Ｋ個のセグメントはそれぞれがＮ／Ｋ行及びＭ列から構成され、前記Ｍ個の列はそれぞれが列アドレス・ライン（Ｃ１、Ｃ２）を有する、ピクセルのアレイと、
トランジスタ制御されたＫ×Ｍ個の電流ドライバであって、これらの電流ドライバはそれぞれが前記列アドレス・ラインの中の対応する１つに接続されており、それぞれのセグメントのそれぞれの列の中のピクセルはこれらの電流ドライバの中の１つに接続され、これらの電流ドライバはそれぞれがその列セグメント（３０）の中のＮ／Ｋ個のピクセルを駆動するように接続され、前記セグメントはそれぞれが当該セグメントの中の電流ドライバのそれぞれに接続されているゲート・アドレス・ライン（Ｇ１、Ｇ２）を有し、１つのセグメントの中の電流ドライバはそれぞれが、当該セグメントのゲート・アドレス・ラインが選択されると、当該電流ドライバの対応する列アドレス・ラインにおける電圧に対応する電流レベルを、ピクセルのその列に提供する、電流ドライバ（２０−２３）と、
を備え、前記電流ドライバは、それぞれが、第１のトランジスタ（Ｑ１）と、記憶装置（Ｃ１）と、電圧制御された電流源（Ｑ２）とを備え、前記第１のトランジスタは当該電流ドライバのゲート・アドレス・ラインの選択に応答して前記記憶装置に電圧を与えるように接続され、前記記憶装置は前記電圧を記憶し、前記電圧制御された電流源は前記記憶装置上に記憶された電圧に従った電流レベルをそのＮ／Ｋ個のピクセルに提供するように接続され、この電流駆動型の発光ディスプレイは、更に、
前記ゲート・アドレス・ラインを制御して、前記アレイの中のピクセルのそれぞれが前記電流ドライバを介して制御されるようにするように配置されるコントローラ（３４）を備えていることを特徴とする発光ディスプレイ。
【請求項２】
請求項１に記載の発光ディスプレイにおいて、前記コントローラは前記アレイの中の前記ピクセルのそれぞれを時間Ｔｆｒａｍｅの間にアドレシングするように配列され、前記時間ＴｆｒａｍｅはそれぞれがＴｆｒａｍｅ／（Ｎ／Ｋ）で与えられる期間Ｔｓｕｂを有するＮ／Ｋ個のサブフレーム時間に分割され、前記コントローラは、１つのサブフレーム時間の間に、それぞれのセグメントの中の選択された行を、それぞれのセグメントにおける選択された行がアドレシングされるまで、セグメントごとにアドレシングし、更に、前記コントローラは、後続のそれぞれのサブフレーム時間の間に、前記アレイの中のピクセルのそれぞれがアドレシングされるまで、それぞれのセグメントの中の別の行を選択してアドレシングし、
前記セグメント化及びアドレシングのスキームは、同じサイズのパッシブ・マトリクス電流駆動発光ディスプレイと比較すると、前記アレイの駆動に必要とされるデューティ・レシオをＫの因数だけ低減させ、かつ、同じサイズのアクティブ・マトリクス電流駆動発光ディスプレイと比較すると、前記アレイの駆動に必要とされるトランジスタの数をＮ／Ｋの因数だけ低減させることを特徴とする発光ディスプレイ。
【請求項３】
請求項１に記載の発光ディスプレイにおいて、この発光ディスプレイのピクセルは有機発光デバイス（ＯＥＤ）を備えていることを特徴とする発光ディスプレイ。
【請求項４】
請求項１に記載の発光ディスプレイにおいて、前記電流ドライバは、それぞれが、
トランジスタ（Ｑ１）と、
記憶装置（Ｃ１）と、
電圧制御された電流源（Ｑ２）と、
を備えており、前記トランジスタは当該電流ドライバのゲート・アドレス・ラインの選択に応答して前記記憶装置に電圧を与えるように接続され、前記記憶装置は前記電圧を記憶し、前記電圧制御された電流源は前記記憶装置上に記憶された電圧に従った電流レベルをそのＮ／Ｋ個のピクセルに提供するように接続されていることを特徴とする発光ディスプレイ。
【請求項５】
請求項１に記載の発光ディスプレイにおいて、この発光ディスプレイのピクセルの前記アレイを含むディスプレイ・パネル（１２８）と、前記Ｋ×Ｍ個の電流ドライバを含む印刷回路ボード（ＰＣＢ）（１４２）とを備えており、前記ＰＣＢは前記ディスプレイ・パネルと相互に接続されてこの発光ディスプレイを形成することを特徴とする発光ディスプレイ。
【請求項６】
請求項５に記載の発光ディスプレイにおいて、前記ディスプレイ・パネルは、このディスプレイ・パネルの裏側からアクセス可能なピクセルを駆動することができる表面結合パッド（１５１）を含み、前記ＰＣＢは、このＰＣＢの前記電流ドライバとは反対の側に複数の表面結合パッド（１５１）を含み、前記ＰＣＢと前記ディスプレイ・パネルとは、両者の表面結合パッドが相互に接触してこの発光ディスプレイを形成するのに必要な相互接続を実現するように結合されていることを特徴とする発光ディスプレイ。
【請求項７】
請求項１に記載の発光ディスプレイにおいて、前記アレイは、それぞれが前記セグメントのそれぞれの中のピクセルの対応する行に接続されているＮ／Ｋ個の行アドレス・ライン（Ｒ１〜Ｒ３）を有し、それぞれのセグメントのそれぞれの列の中のピクセルは、１つの行アドレス・ラインと前記電流ドライバの中の１つとの間に接続されていることを特徴とする発光ディスプレイ。
【請求項８】
請求項７に記載の発光ディスプレイにおいて、前記コントローラは、前記アレイの中の前記ピクセルのそれぞれを時間Ｔｆｒａｍｅの間にアドレシングするように配列され、前記時間Ｔｆｒａｍｅは、それぞれがＴｆｒａｍｅ／（Ｎ／Ｋ）で与えられる期間Ｔｓｕｂを有するＮ／Ｋ個のサブフレーム時間に分割され、前記コントローラは、１つのサブフレーム時間の間に、それぞれのセグメントにおける選択された行がアドレシングされるまで、それぞれのセグメントの中の選択された行をセグメントごとにアドレシングし、前記コントローラは、後続のそれぞれのサブフレーム時間の間に、それぞれのセグメントの中の別の行を、前記アレイの前記ピクセルのそれぞれがアドレシングされるまで、選択してアドレシングし、前記コントローラは、前記サブフレーム時間のそれぞれの開始時に前記ゲート・アドレス・ラインのそれぞれを順に選択するように配列され、前記ゲート・アドレス・ラインのそれぞれが選択される期間ＴｇａｔｅをＴｓｕｂ／Ｋよりも短くすることにより、前記電流ドライバのそれぞれが、１つのサブフレーム時間のほとんどすべてに対して、そのプログラムされた電流レベルを提供することを特徴とする発光ディスプレイ。
【請求項９】
請求項１に記載の発光ディスプレイにおいて、前記アレイはＮ個の行アドレス・ライン（Ｒ１１〜Ｒ１３、Ｒ２１〜Ｒ２３）を有し、それぞれの行アドレス・ラインは、前記ピクセルの行の中の１つに接続され、それぞれのセグメントのそれぞれの列の中のピクセルは、前記ピクセルの行アドレス・ラインと前記電流ドライバの中の１つとの間に接続されていることを特徴とする発光ディスプレイ。
【請求項１０】
請求項９に記載の発光ディスプレイにおいて、前記コントローラは、前記アレイの前記ピクセルのそれぞれを時間Ｔｆｒａｍｅの間にアドレシングするように配列され、前記時間Ｔｆｒａｍｅは、それぞれがＴｆｒａｍｅ／（Ｎ／Ｋ）で与えられる期間Ｔｓｕｂを有するＮ／Ｋ個のサブフレーム時間に分割され、前記コントローラは、１つのサブフレーム時間の間に、それぞれのセグメントにおける前記与えられた行がアドレシングされるまで、それぞれのセグメントの中の与えられた行をセグメントごとにアドレシングし、前記与えられた行は、その対応する行アドレス・ラインを選択することによってアドレシングされ、前記与えられた行の行アドレス・ラインの選択は、前記サブフレーム時間の全体にわたって均等に互い違いに配列され、前記与えられた行の行アドレス・ラインのそれぞれは、サブフレーム時間Ｔｓｕｂと等しい時間の間に選択され、前記コントローラは、後続のそれぞれのサブフレーム時間の間、前記アレイの各ピクセルがアドレスされるまで各セグメント内の別の行を選択してアドレスを行い、前記コントローラは、それぞれの前記サブフレーム時間の間、それぞれの前記ゲート・アドレス・ラインを順に選択するように配列され、前記ゲート・アドレス・ラインのそれぞれが選択される前記期間ＴｇａｔｅはＴｓｕｂ／Ｋと等しいことを特徴とする発光ディスプレイ。
【手続補正２】
【補正対象書類名】明細書
【補正対象項目名】０００１
【補正方法】変更
【補正の内容】
【０００１】
【発明の属する技術分野】
本発明は、電流駆動型（current-driven）の放射（発光、emissive）ディスプレイの分野に関し、特にかかるディスプレイでの使用に適切なアドレシング及び製造スキームに関する。
【手続補正３】
【補正対象書類名】明細書
【補正対象項目名】０００２
【補正方法】変更
【補正の内容】
【０００２】
【従来の技術】
平面パネル・ディスプレイは、行およびカラム（列）に配列されたピクセルのアレイから形成される。高解像度、良いパネル明度、および高信頼性を提供するディスプレイを提供するための努力において、多くの技術が探求され、また、探求は続いている。
００